(57)【要約】【課題】磁力によって生起されるクリック感の大きさを簡単に調整できる回転操作型電気部品を提供すること。【解決手段】回転操作型電気部品のロータ部は、回転操作される操作軸１と、検出用磁石３を保持して操作軸１に一体化された回転体２とによって主に構成され、ステータ部である支持部材５が操作軸１を回転可能に支持している。支持部材５には調整ホルダ９が螺着させてあり、この調整ホルダ９に固定された第２のクリック用磁石１１と、回転体２に固定された第１のクリック用磁石１０との間に作用する磁力が、ロータ部の回転位置に応じて変化するようになっている。また、調整ホルダ９を支持部材５に対し螺進退させることによって両磁石１０，１１の対向間隔ｄを調整することができる。【選択図】図１
2007305413.tif 000002
【特許請求の範囲】
【請求項１】
回転操作されるロータ部と、このロータ部を回転可能に支持するステータ部と、前記ロータ部に固定された第１のクリック用磁石と、前記ステータ部に固定されて前記第１のクリック用磁石に対向する第２のクリック用磁石と、前記ロータ部または前記ステータ部に螺進退可能に固定されて前記第１のクリック用磁石または前記第２のクリック用磁石を保持する調整ホルダと、前記ロータ部の回転を検出する回転検出手段とを備え、
前記第１のクリック用磁石と前記第２のクリック用磁石は両者間に作用する磁力が前記ロータ部の回転位置に応じて変化するように着磁されており、かつ、前記ロータ部または前記ステータ部に対する前記調整ホルダの取付位置を変更することによって前記第１のクリック用磁石と前記第２のクリック用磁石との対向間隔を調整可能としたことを特徴とする回転操作型電気部品。
【請求項２】
請求項１の記載において、前記調整ホルダが前記ステータ部に螺進退可能に固定されて前記第２のクリック用磁石を保持していることを特徴とする回転操作型電気部品。
【請求項３】
請求項１または２の記載において、前記第１のクリック用磁石と前記第２のクリック用磁石が、いずれも周方向に沿ってＳ極とＮ極が交互に着磁された円環状の磁石であることを特徴とする回転操作型電気部品。
【請求項４】
請求項１〜３のいずれか１項の記載において、前記回転検出手段が磁気センサまたは光センサを含んでいることを特徴とする回転操作型電気部品。
【発明の詳細な説明】
【技術分野】
【０００１】
本発明は回転操作型電気部品に係り、特に、磁石の吸引力や反発力を利用した磁気式のクリック機構を備えている回転操作型電気部品に関する。
【背景技術】
【０００２】
一般的に回転操作型電気部品のクリック機構は、ロータ側の部材とステータ側の部材とを係脱可能に弾接させて、回転操作時に所定の回転位置で両部材間の摺動抵抗が急減してクリック感が生起されるように構成されている。しかしながら、回転量や回転方向を検出する手段として磁気センサや光センサ等の非接触式センサを用いている回転操作型電気部品の場合、弾接する部材どうしを係脱させるという一般的なクリック機構を採用すると、クリック感が過度に明瞭になってしまうため良好な操作感触が得にくくなる。また、操作回数が増えると、接点部の摩耗が不可避である接触式の検出手段に比べて、非接触式センサは長期に亘って安定した検出精度が維持できるという利点を有するため、この利点を活かすという観点からも、非接触式センサを用いている回転操作型電気部品のクリック機構として摩耗が不可避の摺動タイプのものを採用することは好ましいことではない。
【０００３】
そこで従来、回転検出手段として非接触式センサを用いている回転操作型電気部品のクリック機構を磁石によって構成するという技術が提案されている（例えば、特許文献１参照）。すなわち、ロータ部とステータ部にそれぞれクリック用磁石を固定し、両磁石の間に作用する磁力がロータ部の回転位置に応じて変化するようにこれら両磁石を配設しておけば、クリック感が過度に明瞭にならず摩耗の虞もない磁気式のクリック機構を実現できる。
【特許文献１】特開２００４−２０２２２号公報（第９頁、図５）
【発明の開示】
【発明が解決しようとする課題】
【０００４】
ところで、クリック機構を磁石によって構成している従来の回転操作型電気部品では、対をなすクリック用磁石どうしの吸引力や反発力の大きさによってクリック感の強弱が決定されるが、回転操作型電気部品の用途によっては明瞭なクリック感が好適な場合もあれば微かなクリック感が好適な場合もある。それゆえ、この種の回転操作型電気部品の汎用性を高めるためには、クリック感の大きさが簡単に調整できるようになっていることが望まれるが、前述した従来技術では、クリック用磁石を交換する等の煩雑な作業を行わないとクリック感の大きさを調整できなかった。
【０００５】
本発明は、このような従来技術の実情に鑑みてなされたもので、その目的は、磁力によって生起されるクリック感の大きさを簡単に調整できる回転操作型電気部品を提供することにある。
【課題を解決するための手段】
【０００６】
上記の目的を達成するため、本発明の回転操作型電気部品では、回転操作されるロータ部と、このロータ部を回転可能に支持するステータ部と、前記ロータ部に固定された第１のクリック用磁石と、前記ステータ部に固定されて前記第１のクリック用磁石に対向する第２のクリック用磁石と、前記ロータ部または前記ステータ部に螺進退可能に固定されて前記第１のクリック用磁石または前記第２のクリック用磁石を保持する調整ホルダと、前記ロータ部の回転を検出する回転検出手段とを備え、前記第１のクリック用磁石と前記第２のクリック用磁石は両者間に作用する磁力が前記ロータ部の回転位置に応じて変化するように着磁されており、かつ、前記ロータ部または前記ステータ部に対する前記調整ホルダの取付位置を変更することによって前記第１のクリック用磁石と前記第２のクリック用磁石との対向間隔を調整可能とした。
【０００７】
このように構成された回転操作型電気部品は、第１のクリック用磁石を保持する調整ホルダをロータ部に対し螺進退させて取付位置を変更したり、第２のクリック用磁石を保持する調整ホルダをステータ部に対し螺進退させて取付位置を変更することによって、第１のクリック用磁石と第２のクリック用磁石との対向間隔を容易に調整することができる。すなわち、第１および第２のクリック用磁石の対向間隔を狭めれば明瞭なクリック感が得られるようになり、該対向間隔を広げれば微かなクリック感が得られるようになるため、回転操作型電気部品の用途等に応じてクリック感の大きさを簡便に調整することができて、安価に汎用性を高めることができる。
【０００８】
上記の構成において、調整ホルダがロータ部とステータ部のいずれに螺進退可能に固定されていても、第１および第２のクリック用磁石の対向間隔を容易に調整することはできるが、ロータ部に螺着された調整ホルダには回転操作力が作用することを考慮すると、調整ホルダがステータ部に螺進退可能に固定されて第２のクリック用磁石を保持しているという構成にしたほうが、磁気式クリック機構の信頼性を高めることができて好ましい。
【０００９】
また、上記の構成において、第１のクリック用磁石と第２のクリック用磁石が、いずれも周方向に沿ってＳ極とＮ極が交互に着磁された円環状の磁石であると、同種の磁石を使用できて取付構造も簡素化できるため好ましい。
【００１０】
また、上記の構成において、回転検出手段が磁気センサまたは光センサを含んでいると、非接触式センサにより長期に亘って安定した検出精度が維持できるため、摩耗の虞がない磁気式クリック機構との併用によって回転操作型電気部品の寿命を著しく延ばすことができる。
【発明の効果】
【００１１】
本発明の回転操作型電気部品は、第１のクリック用磁石を保持する調整ホルダをロータ部に対し螺進退させて取付位置を変更したり、第２のクリック用磁石を保持する調整ホルダをステータ部に対し螺進退させて取付位置を変更することによって、第１のクリック用磁石と第２のクリック用磁石との対向間隔を容易に調整することができる。すなわち、第１および第２のクリック用磁石の対向間隔を狭めれば明瞭なクリック感が得られるようになり、該対向間隔を広げれば微かなクリック感が得られるようになるため、回転操作型電気部品の用途等に応じてクリック感の大きさを簡便に調整することができて、安価に汎用性を高めることができる。特に、調整ホルダがステータ部に螺進退可能に固定されて第２のクリック用磁石を保持しているという構成にしておけば、信頼性の高い磁気式クリック機構が得られる。
【発明を実施するための最良の形態】
【００１２】
発明の実施の形態を図面を参照して説明すると、図１は本発明の実施形態例に係る回転操作型電気部品の断面図、図２は該回転操作型電気部品の分解斜視図、図３は該回転操作型電気部品に備えられるクリック用磁石の斜視図である。
【００１３】
図１および図２に示す回転操作型電気部品のロータ部は、回転操作される操作軸１と、操作軸１の後端部を圧入して一体化された回転体２と、回転体２の背面側の空所内に固定された円環状の検出用磁石３とによって主に構成されており、操作軸１の後端付近には抜け止めワッシャ４が嵌着されている。また、この回転操作型電気部品のステータ部は、操作軸１を回転可能に支持する支持部材５と、この支持部材５が取り付けられた円筒状の外殻部材６とによって主に構成されており、外殻部材６の後端側の開口は円板状の底板７によって蓋閉されている。そして、これらロータ部とステータ部とを回動自在に連結する軸受８が、回転体２の近傍で操作軸１を包囲する支持部材５の背面側の空所内に圧入されている。つまり、軸受８の内周部が操作軸１に固定されて外周部が支持部材５に固定されている。また、支持部材５の内筒部５ａは外周面が雄ねじ形状部となっており、この雄ねじ形状部と対応する雌ねじ形状部９ａを有する調整ホルダ９が、内筒部５ａに螺着させることによって支持部材５に固定されている。ただし、支持部材５に対する調整ホルダ９の取付位置は、雌ねじ形状部９ａを内筒部５ａに螺進退させることにより適宜変更可能である。また、調整ホルダ９には後述する第２のクリック用磁石１１が固定されている。
【００１４】
この回転操作型電気部品のクリック機構は、回転体２の前面側に固定された第１のクリック用磁石１０と、調整ホルダ９の背面側に固定された第２のクリック用磁石１１とによって構成されており、両クリック用磁石１０，１１は所定の間隔ｄを存して対向している。第１のクリック用磁石１０と第２のクリック用磁石１１は同種同形の円環状の磁石であり、図３に示すように、いずれも周方向に沿ってＳ極とＮ極が交互に着磁されている。第１のクリック用磁石１０と第２のクリック用磁石１１との間に作用する磁力は、両磁石１０，１１の異極どうし（Ｓ極とＮ極）が対向しているときには吸引力となるが、両磁石１０，１１の同極どうしが対向しているときには反発力となる。したがって、ロータ部に固定された第１のクリック用磁石１０と、調整ホルダ９を介してステータ部に固定された第２のクリック用磁石１１との間に作用する磁力は、ロータ部の回転位置に応じて変化し、これにより回転操作時にクリック感が得られるようになっている。なお、第２のクリック用磁石１１を保持する調整ホルダ９は支持部材５に対し螺進退させて取付位置を変更することが可能なため、第１のクリック用磁石１０と第２のクリック用磁石１１との対向間隔ｄは容易に調整することができる。
【００１５】
この回転操作型電気部品には回転検出手段としてＧＭＲセンサ（巨大磁気抵抗センサ）１２が使用されている。ＧＭＲセンサ１２は回路基板１３の前面の中央部に実装されて検出用磁石３の近傍に位置している。また、回路基板１３は外殻部材６に保持されて回転体２の後方に位置している。そして、操作軸１の回転操作に伴って回転体２および検出用磁石３が一体的に回転し、ＧＭＲセンサ１２に対する検出用磁石３の位置が変化するため、その磁気変化がＧＭＲセンサ１２によって検出されるようになっている。また、回路基板１３の他面には回路部品１４が実装されており、ＧＭＲセンサ１２の検出信号が回路部品１４へ出力されて、その検出信号に基づき操作軸１の回転量や回転方向が検出されるようになっている。
【００１６】
このように本実施形態例に係る回転操作型電気部品は、第２のクリック用磁石１１を保持する調整ホルダ９を支持部材５に対し螺進退させて取付位置を変更することによって、第１のクリック用磁石１０と第２のクリック用磁石１１との対向間隔ｄを容易に調整することができる。すなわち、第１および第２のクリック用磁石１０，１１の対向間隔ｄを狭めれば明瞭なクリック感が得られるようになり、対向間隔ｄを広げれば微かなクリック感が得られるようになる。それゆえ、回転操作型電気部品の用途等に応じてクリック感の大きさを簡便に調整することができて、安価に汎用性を高めることができる。
【００１７】
また、本実施形態例で使用している第１のクリック用磁石１０と第２のクリック用磁石１１は、いずれも周方向に沿ってＳ極とＮ極が交互に着磁された同種同形の円環状磁石なので、部品管理が容易で取付構造も簡素化しやすく、よって組立性が良好な磁気式クリック機構となっている。
【００１８】
また、本実施形態例に係る回転操作型電気部品は、検出用磁石３と非接触式センサであるＧＭＲセンサ１２とによってロータ部の回転を検出する回転検出手段を構成したので、長期に亘って安定した検出精度が維持できると共に、摩耗の虞がない磁気式クリック機構を採用しているため、非接触式の回転検出手段と磁気式クリック機構との併用によって製品寿命を著しく延ばすことができる。ただし、ＧＭＲセンサ以外の非接触式センサ、例えば光センサによってロータ部の回転を検出するという構成にしてもよい。
【００１９】
なお、調整ホルダ９を省略して第２のクリック用磁石１１をステータ部（支持部材５）に直接固定し、かつ、第１のクリック用磁石１０を保持する図示せぬ調整ホルダをロータ部（回転体２）に対し螺進退可能に固定することによっても、第１および第２のクリック用磁石１０，１１の対向間隔ｄを容易に調整することは可能である。
【図面の簡単な説明】
【００２０】
【図１】本発明の実施形態例に係る回転操作型電気部品の断面図である。
【図２】該回転操作型電気部品の分解斜視図である。
【図３】該回転操作型電気部品に備えられるクリック用磁石の斜視図である。
【符号の説明】
【００２１】
１  操作軸（ロータ部）
２  回転体（ロータ部）
３  検出用磁石（ロータ部）
５  支持部材（ステータ部）
６  外殻部材（ステータ部）
８  軸受
９  調整ホルダ
９ａ  雌ねじ形状部
１０  第１のクリック用磁石
１１  第２のクリック用磁石
１２  ＧＭＲセンサ（磁気センサ）
１３  回路基板
ｄ  対向間隔
【図１】
2007305413.tif 000003
【図２】
2007305413.tif 000004
【図３】
2007305413.tif 000005